(57)【要約】【課題】防犯用スクリーンが設けられたタクシーの運転席に簡単にシートカバーの着脱ができるようにする。【解決手段】運転席の背もたれ１の前面上部と両肩部１ａ，１ｂとを包囲するよう縫製されたシートカバー本体１０と、ヘッドレスト２を包囲するように縫製されたヘッドレストカバー１１と、該ヘッドレストカバーを前記シートカバー本体の上縁に連繋する連結地１２と、前記シートカバー本体の一方の肩包囲部１０ｅの背面に設けられた面ファスナー１３ａ〜１３ｃと、前記シートカバー本体の他方の肩包囲部１０ｆの背面から前記背もたれの背面上部を被うように横断状に延設される背面帯１４と、該背面帯の先端部に前記面ファスナーに合着するよう設けられた面ファスナー１５ａ〜１５ｃとからなる。【選択図】図１
2007190135.tif 000002
【特許請求の範囲】
【請求項１】
運転席の背もたれの前面上部と両肩部とを包囲するよう縫製されたシートカバー本体と、運転席のヘッドレストを包囲するように縫製されたヘッドレストカバーと、該ヘッドレストカバーを前記シートカバー本体の上縁に連繋する連結地と、前記シートカバー本体の一方の肩包囲部の背面に設けられた面ファスナーと、前記シートカバー本体の他方の肩包囲部の背面から前記背もたれの背面上部を被うように横断状に延設される背面帯と、該背面帯の先端部に前記面ファスナーに合着するよう設けられた面ファスナーとからなることを特徴としたタクシーの運転席用シートカバー。
【発明の詳細な説明】
【技術分野】
【０００１】
本発明はタクシーの運転席に着脱自在に被せられるシートカバーに関するものである。
【背景技術】
【０００２】
下記特許文献１に示されたタクシー用防犯スクリーンは、タクシーの運転席の背もたれ部の後側に運転席を後部座席から遮蔽するように合成樹脂板からなる透明または半透明なスクリーンを立設することにより、タクシー強盗を防ごうとするものである。
【特許文献１】特開２０００−２１１４５７号公報
【０００３】
また、運転席のヘッドレストの支柱を利用して透明または半透明の合成樹脂板を運転席の背もたれ部上に支持することにより、車内天井面と運転席の背もたれ部上空間を比較的小型のスクリーンによって仕切できるようにした防犯用スクリーンが創案された。
【発明の開示】
【発明が解決しようとする課題】
【０００４】
ところで、一般にタクシーの座席シートにはレース等の布地からなるシートカバーを被せることにより、乗客に清潔感が持たれるようにしているが、上記のように運転席に防犯用スクリーンが設けられていると、その防犯用スクリーンが邪魔となりシートカバーを上方から被せることができなくなるので、クリーニングの際に着脱の手間が掛かるという問題があった。
【０００５】
座席シートおよびヘッドレストの形状や大きさは車種によって相違することから、そのシートカバーおよびヘッドレストカバーはこれに合ったものを装着しなければならないが、シートカバーとヘッドレストカバーとが別々の状態であると、クリーニングの際に夫々を車種毎に整理しなければならず、手間が掛かるという問題があった。
そこで本発明は、このような整理の手間を要さず、しかも防犯用スクリーンが設けられていても簡単に着脱ができる運転席用シートカバーを提供し、上記問題を解消しようとするものである。
【課題を解決するための手段】
【０００６】
そのために請求項１に記載のタクシーの運転席用シートカバーは、運転席の背もたれの前面上部と両肩部とを包囲するよう縫製されたシートカバー本体と、運転席のヘッドレストを包囲するように縫製されたヘッドレストカバーと、該ヘッドレストカバーを前記シートカバー本体の上縁に連繋する連結地と、前記シートカバー本体の一方の肩包囲部の背面に設けられた面ファスナーと、前記シートカバー本体の他方の肩包囲部の背面から前記背もたれの背面上部を被うように横断状に延設される背面帯と、該背面帯の先端部に前記面ファスナーに合着するよう設けられた面ファスナーとからなることを特徴とする。
【発明の効果】
【０００７】
運転席に防犯用スクリーンが設けられていても該防犯用スクリーンが邪魔になることなくシートカバーを簡単に着脱することができる。また、ヘッドレストカバーがシートカバー本体に常に付随する。このため、シートカバーをクリーニングする際の着脱の作業性および取り扱いが非常に容易になる。
【発明を実施するための最良の形態】
【０００８】
次に本発明の実施の形態を図面と共に説明する。図４は防犯用スクリーンが設けられた運転席の斜視図、図５はその後側の斜視図である。図中、１は運転席の背もたれ、２はその上部に突出する一対の支柱３により支持されたヘッドレストである。４は透視できるようにアクリル等の透明な合成樹脂により成形された略長方形皿状の防犯用スクリーン、５は該防犯用スクリーンの背面に一体に形成されたポケット状の物入れで、該防犯用スクリーンの下縁部前面に前記支柱３を挟着する金具６が設けられ、該金具に貫挿されたボルト・ナット７を締付することによりヘッドレスト２を後面から被うように背もたれ１上に立設される。８は背もたれ１の背面に突設された手摺りである。なお、前記物入れ５には乗客が自由に手に取れるようにタクシー利用案内書等の印刷物が収容される。
【０００９】
図１に本発明に係る運転席用シートカバーの背面斜視図を示す。この運転席用シートカバーは、背もたれ１の前面上部と両肩部１ａ，１ｂを包囲するよう布地により立体状に縫製されたシートカバー本体１０と、前記ヘッドレスト２を包囲するよう布地により袋状に縫製されたヘッドレストカバー１１と、該ヘッドレストカバーをシートカバー本体１０の上縁に連繋している幅帯状の布地からなる連結地１２と、該シートカバー本体の一方の肩包囲部１ｅの背面に設けられた面ファスナー１３ａ〜１３ｃと、該シートカバー本体の他方の肩包囲部１ｆの背面から該背もたれ１の背面上部を被うように横断状に延設された定幅帯状の背面帯１４と、該背面帯の先端部に前記面ファスナー１３ａ〜１３ｃに合着するよう設けられた面ファスナー１５ａ〜１５ｃとからなる。
【００１０】
前記シートカバー本体１０は、詳しくは、例えばレース布地からなる主布地１０ａを背もたれ１の幅寸法と一致する定幅状に裁断し、上縁部を円弧状に裁断した一対の襠布地１０ｂ，１０ｃを該主布地の両側縁に縫着するとともに、一方の襠布地１０ｂの他側縁と主布地１０ａの上側縁の一部とにわたり角部が当たるように変形三角状に裁断した例えばレース布地からなる継布地１０ｄを縫着し、該継布地の表面に３つの面ファスナー１３ａ〜１３ｃを上下方向に適宜間隔で縫着し、他方の襠布地１０ｃの他側縁と主布地１０ａの上側縁の一部とにわたり例えばレース布地からなる定幅帯状の背面帯１４を縫着し、該背面帯の先端部の前記継布地１０ｄとの対向面に前記面ファスナーに夫々合着する３つの面ファスナー１５ａ〜１５ｃを上下方向に適宜間隔で縫着してなる。これによって面ファスナー１３ａ〜１３ｃが該シートカバー本体１０の一方の肩包囲部１０ｅの背面に設けられ、背面帯１４が該シートカバー本体１０の他方の肩包囲部１０ｆの背面から横断状に延設されるようになる。
なお、１４ａは背もたれ１の背面に突設された手摺り８を避けるために背面帯１４の略中央に開設された横長状の透孔で、該透孔を形成するために該背面帯１４は２枚のレース布地１４ｂ，１４ｃを縫い合わせて構成される。
【００１１】
また、ヘッドレストカバー１１は例えばレース布地により前記ヘッドレスト２の外形状に沿うように下面が開口する袋状に縫製され、その下方開口縁１１ａにゴム紐等の弾性紐が挿通され該開口がその弾性で窄むように設けられている。そして該開口縁１１ａに例えばレース布地からなる幅帯状の連結地１２の一端を逢着し、該連結地の他端を主布地１０ａの上縁中央部に逢着することにより、該ヘッドレストカバー１１とシートカバー本体１０とを連結している。
【００１２】
このように構成された運転席用シートカバーでは、図２に示したように、背もたれ１にシートカバー本体１０を被せ、ヘッドレスト２を包囲するようにヘッドレストカバー１１を被せ、背面帯１４を該背もたれ１の背面に横断状に引っ張って該背面帯１４の先端部に設けられた面ファスナー１５ａ〜１５ｃを面ファスナー１３ａ〜１３ｃに押し付け合着させる。これによって、図３に示したように、該シートカバー本体１０の上縁と該背面帯１４の上縁との隙間から前記支柱３が樹立し、防犯用スクリーン４が邪魔になることなく該シートカバーを体裁良く装着することができる。
【００１３】
なお、この実施形態では面ファスナー１３ａ〜１３ｃを一方の肩包囲部１０ｅ寄りに設けたが、該面ファスナー１３ａ〜１３ｃをこの実施形態で示されたものよりも少し中央寄りに設け、背面帯１４の長さをこの実施形態よりも短めにして該背面帯１４の先端部に面ファスナー１５ａ〜１５ｃを設けるようにしてもよい。
【００１４】
このように本発明では、背もたれ１の背面に横断状に引っ張られる背面帯１４によりシートカバーが装着されるようにしたので、背もたれ１の上部に防犯用スクリーン４が設けられていても、該防犯用スクリーンをいちいち取り外すことなくシートカバーを着脱することができ手間が掛からない。また、このシートカバー本体１０には連結地１２を介してヘッドレストカバー１１が連結されているので、該ヘッドレストカバーは該シートカバー本体と常に付随し、取り外しても別体となることがないので、クリーニングの際の取り扱いが容易となる。
【図面の簡単な説明】
【００１５】
【図１】本発明の実施形態に係る運転席用シートカバーの背面斜視図。
【図２】本発明の実施形態に係るシートカバーを装着する際の運転席の背面斜視図。
【図３】本発明の実施形態に係るシートカバーが装着された運転席の背面図。
【図４】本発明の実施形態に係る防犯用スクリーンが設けられた運転席の斜視図。
【図５】図４に示した運転席の後側からの斜視図。
【符号の説明】
【００１６】
１                背もたれ
１ａ，１ｂ        肩部
２                ヘッドレスト
４                防犯用スクリーン
１０              シートカバー本体
１０ｅ，１０ｆ    肩包囲部
１１              ヘッドレストカバー
１２              連結地
１３ａ〜１３ｃ    面ファスナー
１４              背面帯
１５ａ〜１５ｃ    面ファスナー
【図１】
2007190135.tif 000003
【図２】
2007190135.tif 000004
【図３】
2007190135.tif 000005
【図４】
2007190135.tif 000006
【図５】
2007190135.tif 000007